(57)【要約】【課題】筐体の開口部を開閉する防水仕様のスライド部材において、止水ゴムに捻れや引きはがし力が発生せず、開閉時にユーザーに違和感を与えないようにする。【解決手段】筐体２に設けられた先細で先端部が湾曲形状の開口部１０の表側に、開口部１０を開閉するスライド部材１３を収容する凹部１１，１２を設け、開口部１０の後端部１０Ｅに隣接するリブ収容部１８の底面１８Ｂには膨出部１６を設け、膨出部１６の両端部は斜面部１７でリブ収容部１８の側面１８Ｓに接続し、スライド部材１３には、開口部１０の先細部分の内周面、膨出部１６及び斜面部１７に接して止水する止水ゴム１５を先端部に備えるリブ１４を設け、スライド部材１３を開口部１０側に移動した時に、止水ゴム１５が開口部１０の側面に押し付けられることにより、止水ゴム１５に捻れや引きはがし力が発生せず、ユーザーも違和感を感じないようにした防水型電子機器である。【選択図】図６
2018041556.tif 000002
【特許請求の範囲】
【請求項１】
電子機器の筐体に設けられた先細で先端部が湾曲形状の開口部と、
前記開口部の表側の筐体に設けられた第１の凹部と、
前記開口部の後端部に隣接する前記筐体の表側に設けられ、前記第１の凹部に連通すると共に、前記第１の凹部と同等の大きさを備える第２の凹部と、
前記第１の凹部と前記第２の凹部の間を往復動可能なスライド部材と、
前記スライド部材に突設され、前記スライド部材が前記第１の凹部に移動した時に、前記開口部の先細部分の内周面に対して、先端部が僅かな距離を隔てて対向するリブと、
前記リブの先端部に全周に渡って取り付けられ、前記スライド部材が前記第１の凹部に移動した時に、前記開口部の先細部分の内周面に嵌合する止水部材とを備える防水型電子機器。
【請求項２】
前記筐体の前記第２の凹部の前記開口部に隣接する部位には、前記止水部材が取り付けられた前記リブを収容するリブ収容部が設けられていることを特徴とする請求項１に記載の防水型電子機器。
【請求項３】
前記リブ収容部の底面の、前記開口部の後端部に隣接する部位において、所定幅で且つ前記底面から所定高さを備えて膨出された膨出部が設けられ、
前記リブ収容部の両側面において、前記膨出部の両端部を斜面で前記側面に接続する斜面部が設けられ、
前記リブの先端部は、前記スライド部材が前記第１の凹部に移動した時に、前記膨出部及び前記斜面部に対して僅かな距離を隔てて対向し、
前記止水部材は、前記スライド部材が前記第１の凹部に移動した時に、前記膨出部及び前記斜面部に嵌合することを特徴とする請求項２に記載の防水型電子機器。
【請求項４】
前記リブの内側の前記スライド部材の表面には、前記スライド部材を前記第２の凹部側に移動させた時に、前記開口部の後端部に当接して前記スライド部材の移動を停止する第１の支柱が突設されていることを特徴とする請求項１から３の何れか１項に記載の防水型電子機器。
【請求項５】
リブの内側の前記スライド部材の表面には、前記スライド部材を前記第１の凹部側に移動させた時に、前記膨出部を乗り越えて前記開口部内に露出する第２の支柱が突設されていることを特徴とする請求項３または４に記載の防水型電子機器。
【請求項６】
前記開口部が設けられた前記筐体の部位には、前記第１の凹部と前記第２の凹部に重なる大きさの開口を備える化粧板が前記筐体に重ね合わされており、
前記スライド部材のスライド方向の両側面にはスライドガイドが突設されており、
前記化粧板の前記開口の前記スライド部材のスライド方向の内周面には、前記スライドガイドを摺動させるガイド溝が設けられていることを特徴とする請求項１から５の何れか１項に記載の防水型電子機器。
【発明の詳細な説明】
【技術分野】
【０００１】
本出願は防水型電子機器に関する。
【背景技術】
【０００２】
近年、可搬型の電子機器、例えば、携帯電話機では、防水構造を採用するものが多くなってきている。このような防水型電子機器においては、端子穴等を開閉するスライド部材のスライドする部分の防水構造が望まれているが、防水するための止水ゴムのスライドによる剥がれ、スライドによる捩れに起因する防水機能の低下が問題になっている。また、スライド部分の形状に防水するための極端な凹凸があるものでは、ユーザーのスライド操作に大きな違和感があり、改良が望まれている。
【０００３】
図１は、可搬型の電子機器１、例えば、スマートフォンにおける筐体２のコネクタ接続部３を示すものである。コネクタ接続部３は、コネクタが接続されない時はスライドするスライド部材４によって閉じられており、コネクタが挿入される時だけ、スライド部材４がスライドされてコネクタを接続する開口５が現れるようになっている。
【０００４】
図２（ａ）、（ｂ）は比較技術における、電子機器の筐体９１の断面が長円状の開口部９３をスライド蓋９２で防水する構造を示すものである。筐体９１の開口部９３の裏側には凹部９４があり、凹部９４の側壁面にはレール９５が設けられている。スライド蓋９２は側面に突設されたピン９６がこのレール９５に係合しており、スライド蓋９２はレール９５に沿って凹部９４内を移動できる。スライド蓋９２の凹部９４の底面側には断面が長円状のリブ９７が設けられており、リブ９７の自由端部は傾斜していて、先端部にパッキン９８が取り付けられている。
【０００５】
開口部９３が開口している状態では、スライド蓋９２は、図２（ａ）に示すように、開口部９３に重ならない筐体９１の凹部９４に収納されている。開口部９３がスライド蓋９２によって防水状態で塞がれる場合には、スライド蓋９２がレール９５に沿って移動し、リブ９７の先端部にあるパッキン９８が開口部９３に落ち込んで、開口部９３の内側に嵌合するようになっている。
【０００６】
しかし、この比較技術では、スライド蓋９２をスライドさせる際の摩擦抵抗力が、パッキン９８が開口部９３に嵌め込まれる時に急激に増大して引っかかり感が生じるために、操作するユーザー（操作者）に違和感を与えていた。また、リブ９７の先端部に取り付けられたパッキン９８に捩れが発生して、内部の空気が漏れるエアリークが生じたり、パッキン９８の捩れ部分から筐体９１の内部に水が浸入し易い問題もあった。
【先行技術文献】
【特許文献】
【０００７】
【特許文献１】特開平１０−１７３３６０号公報
【０００８】
【特許文献２】特開２０１１−１５９４８７号公報
【発明の概要】
【発明が解決しようとする課題】
【０００９】
１つの側面では、本出願は筐体に設けられた開口部を開閉するスライド部材が開口部を閉じて防水する際に、止水ゴムに捻れや引きはがし力が発生せず、スライド部材の開閉時にユーザーに違和感を与えないような細かな力のプロファイル制御ができる防水型電子機器を提供することを目的とする。
【課題を解決するための手段】
【００１０】
１つの形態によれば、電子機器の筐体に設けられた先細で先端部が湾曲形状の開口部と、開口部の表側の筐体に設けられた第１の凹部と、開口部の後端部に隣接する筐体の表側に設けられ、第１の凹部に連通すると共に、第１の凹部と同等の大きさを備える第２の凹部と、第１の凹部と第２の凹部の間を往復動可能なスライド部材と、スライド部材に突設され、スライド部材が第１の凹部に移動した時に、開口部の先細部分の内周面に対して、先端部が僅かな距離を隔てて対向するリブと、リブの先端部に全周に渡って取り付けられ、スライド部材が第１の凹部に移動した時に、開口部の先細部分の内周面に嵌合する止水部材とを備える防水型電子機器が提供される。
【００１１】
開示の防水型電子機器には、スライド部材を防水するに際して、止水ゴムに捻れや引きはがし力が発生せず、スライド部材の開閉時にユーザーに違和感を与えないような細かな力のプロファイル制御ができるという効果がある。
【図面の簡単な説明】
【００１２】
【図１】比較技術の電子機器における、開口部の防水部分を示す斜視図及び防水部分の部分拡大斜視図である。
【図２】（ａ）は比較技術における、電子機器の開口部をスライド式の防水キャップが開口している状態を示す部分断面図、（ｂ）は（ａ）に示した防水キャップが開口部を防水して塞ぐ状態を示す部分断面図である。
【図３】（ａ）は開示の電子機器における、開口部の防水部分を示す斜視図、（ｂ）は（ａ）の部分の分解斜視図である。
【図４】（ａ）は図３（ｂ）に示した筐体部分の５面図、（ｂ）は図３（ｂ）に示した筐体部分の背面図、（ｃ）は図３（ｂ）に示した筐体部分を表面側から見た斜視図である。
【図５】（ａ）は図３（ｂ）に示したスライド部材の正面図、（ｂ）は（ａ）に示したスライド部材の５面図、（ｃ）は（ａ）に示したスライド部材を背面側から見た斜視図である。
【図６】（ａ）は図３（ｂ）に示したコネクタ接続部において、スライド部材が開口部を閉じている状態の筐体部分の正面図、（ｂ）は（ａ）のＢ−Ｂ線における断面図、（ｃ）は（ａ）のＣ−Ｃ線における断面図である。
【図７】（ａ）は図３（ｂ）に示したコネクタ接続部において、スライド部材が開口部を開けている状態の筐体部分の正面図、（ｂ）は（ａ）のＡ−Ａ線における断面図、（ｃ）は（ａ）のＣ−Ｃ線における断面図である。
【図８】（ａ）は図３（ｂ）に示したコネクタ接続部において、スライド部材が開口部を開けている状態の筐体部分の正面図、（ｂ）は（ａ）のＭ−Ｍ線における断面図、（ｃ）は（ｂ）のＮ−Ｎ線における断面図である。
【図９】スライド部材が開口部を閉じる時の、止水ゴムと開口部との嵌合を説明する説明図である。
【発明を実施するための形態】
【００１３】
以下、添付図面を用いて本出願の実施の形態を、具体的な実施例に基づいて詳細に説明する。なお、以下の実施の形態においては、同一または類似の要素には共通の参照符号を付し、理解を容易にするために、図面の縮尺を適宜変更している。
【００１４】
図３（ａ）は、図１に示した電子機器１における、筐体２に設けられた開口部１０の防水部分を示す斜視図であり、図３（ｂ）は図３（ａ）に示した部分の分解斜視図である。開口部１０は、例えば、電子機器１へのコネクタ接続部３に設けられている。図３（ａ）では開口部１０がスライド部材１３で塞がれて見えないが、図３（ｂ）には開口部１０が示されている。開口部１０の防水部分は、開口部１０を備える筐体２，開口部１０を開閉するスライド部材１３及び筐体２に重ね合わされる化粧板２０を備える。化粧板２０には開口１９が設けられている。
【００１５】
図４（ａ）は、図３（ｂ）に示した筐体２の５面図、図４（ｂ）は図３（ｂ）に示した筐体２の背面図、図４（ｃ）は図３（ｂ）に示した筐体２を表面側から見た斜視図である。開口部１０の表側の筐体２には第１の凹部１１が設けられており、開口部１０の後端部１０Ｅに隣接する筐体２の表側には、第１の凹部１１に連通すると共に、第１の凹部１１と同等の大きさを備える第２の凹部１２が設けられている。また、筐体２の第２の凹部１２の開口部１０に隣接する部位には、後述するリブを収容するリブ収容部１８が設けられている。
【００１６】
リブ収容部１８の底面１８Ｂの、開口部１０の後端部１０Ｅに隣接する部位には、所定幅で且つ底面１８Ｂから所定高さを備えて膨出された膨出部１６が設けられている。また、リブ収容部１８の両方の側面１８Ｓには、膨出部１６の両端部を斜面で側面１８Ｓに接続する斜面部１７が設けられている。
【００１７】
図５（ａ）は、図３（ｂ）に示したスライド部材１３の正面図であり、図５（ｂ）は図５（ａ）に示したスライド部材１３の５面図であり、図５（ｃ）は図５（ａ）に示したスライド部材１３を背面側から見た斜視図である。スライド部材１３には、スライド部材１３が第１の凹部１１に移動した時に、開口部１０の先細部分１０Ｓの内周面に対して、先端部が僅かな距離を隔てて対向するリブ１４が突設されている。また、このリブ１４の開口部１０の後端部１０Ｅ側の先端部は、スライド部材１３が第１の凹部１１に移動した時に、筐体２の膨出部１６及び斜面部１７に対して僅かな距離を隔てて対向するように形成されている。即ち、リブ１４は、開口部１０側のスライド部材１３からの高さは一定であり、開口部１０の後端部１０Ｅ側で膨出部１６に近接する高さを備え、斜面部１７に対向する部位の高さが次第に高くなるように形成されている。
【００１８】
リブ１４の先端部には、止水部材である止水ゴム１５が全周に渡って取り付けられている。この止水ゴム１５の大きさは、スライド部材１３が第１の凹部１１に移動した時に、開口部１０の先細部分１０Ｓの内周面に嵌合すると共に、筐体２の膨出部１６及び斜面部１７にも嵌合する大きさである。止水ゴム１５の断面は台形形状とすることができるが、断面形状は特に限定されない。外周面が曲面でも良い。
【００１９】
更に、リブ１４の内側のスライド部材１３の表面には、第１の支柱２１と第２の支柱２２が突設されている。第１の支柱２１は、スライド部材１３を第２の凹部１２側に移動させた時に、開口部１０の後端部１０Ｅに当接してスライド部材１３の移動を停止させる。また、第２の支柱２２は、スライド部材１３を第１の凹部１１側に移動させた時に、膨出部１６を乗り越えて開口部１０内に露出するものであり、スライド部材１３が開口部１０を閉じる時に、スライド部材１３の操作者にクリック感を与えるようになっている。第２の支柱２２はスライド部材１３と同じ部材で一体的に形成しても良いが、第２の支柱２２の頂面に、弾性部材２３を取り付けても良い。
【００２０】
スライド部材１３のスライド方向の両側面にはスライドガイド１３Ｇが突設されている。このスライドガイド１３Ｇは、後に詳述するが、図３（ｂ）に示した化粧板２０の開口１９に設けられているガイド溝２０Ｍに摺動可能に嵌め込まれる。また、開口部１０が設けられた筐体２の部位は電子機器１の側面であることが多く、この場合には、化粧板２０はこの側面に貼り付けられて設けられる。
【００２１】
図６（ａ）は図３（ｂ）に示したコネクタ接続部３において、スライド部材１３が開口部１０を開けている状態の筐体部分の正面図であり、図６（ｂ）は図６（ａ）のＢ−Ｂ線における断面図であり、図６（ｃ）は図６（ａ）のＣ−Ｃ線における断面図である。スライド部材１３が開口部１０を開けている状態では、スライド部材１３の止水ゴム１５が先端部に取り付けられたリブ１４は、リブ収容部１８に収容されている。このとき、第１の支柱２１が開口部１０の後端部１０Ｅに当接しており、スライド部材１３は第２の凹部１２内にはこれ以上入らないようになっている。
【００２２】
また、図６（ｃ）に示すように、スライド部材１３のスライド方向の側面に設けられたスライドガイド１３Ｇが、筐体２に貼り合わされている化粧板２０に設けられているガイド溝２０Ｍに収容されている。化粧板２０に設けられているガイド溝２０Ｍは、筐体２への貼り付け側が開口しており、スライド部材１３を第２の凹部１２に取り付けた後に、化粧板２０を筐体２に貼り付ければ、スライドガイド１３Ｇがガイド溝２０Ｍの中に摺動可能に収容される。
【００２３】
図７（ａ）は、図３（ｂ）に示したコネクタ接続部３において、スライド部材１３が開口部１０を閉じている状態の筐体部分の正面図であり、図７（ｂ）は図７（ａ）のＡ−Ａ線における断面図であり、図６（ｃ）は図６（ａ）のＣ−Ｃ線における断面図である。また、図８（ａ）は図３（ｂ）に示したコネクタ接続部３において、スライド部材１３が開口部を閉じている状態の筐体部分の正面図であり、図８（ｂ）は図８（ａ）のＭ−Ｍ線における断面図であり、図８（ｃ）は図８（ｂ）のＮ−Ｎ線における断面図である。
【００２４】
スライド部材１３が開口部１０を閉じるようにスライドされると、第２の支柱２２は膨出部１６を乗り越えて開口部１０内に露出する。このため、スライド部材１３が開口部１０を閉じる時に、第２の支柱２２は膨出部１６を乗り越える動作で、スライド部材１３の操作者がクリック感を感じる。
【００２５】
図９は、スライド部材１３が開口部１０を閉じた時の、止水ゴム１５と開口部１０との密着状態を説明する説明図であり、本図には開口部１０の周辺と止水ゴム１５のみが示してある。スライド部材１３が開口部１０を閉じた状態では、止水ゴム１５が開口部１０の先細部分１０Ｓの内周面に密着する。更に、リブ１４の開口部１０の後端部１０Ｅ側の先端部に設けられた止水ゴム１５は、リブ収容部１８の底面１８Ｂに設けられた膨出部１６の上面に密着する。更にまた、リブ１４のスライド部材１３からの高さが一定の部分からリブ１４の高さが次第に高くなる部分の先端部に設けられた止水ゴム１５は、斜面部１７に密着する。この状態は、図７（ｃ）にも示される。この結果、スライド部材１３が開口部１０を閉じた状態では、リブ１４の先端部に全周に渡って設けられた止水ゴム１５が、開口部１０の先細部分１０Ｓの内周面、膨出部１６及び斜面部１７にそれぞれ密着するので、開口部１０が確実に止水される。
【００２６】
比較技術の構造では、止水ゴムが開口部にすっぽりはめ込まれる構造となっており、スライドさせる際の摩擦抵抗力は、開口部に嵌め込まれる際に急激に増大し、開閉の力プロファイルに引っ掛かり感があり、操作者に違和感を与えていた。また、部品としての止水ゴムの観点でみると止水ゴム自体に捩れが発生しエアリークしやすかった。
【００２７】
これに対して開示の止水ゴムは、開口部の先細部分がテーパーになっており、止水ゴムをテーパー部分に押し付けて止水するので、止水ゴムは止水面に対して面内方向への押し付けだけなので、止水ゴム自体に捩れや引き矧がし力が発生せず、エアリークし難い。一部の止水ゴムにはスライドする方向に力が加わるが、その力は摺動によるものであるので、その最大力は僅かであり、決して引き剥がし力を超えることはない。更に、スライド部材の開閉の力プロファイルは、止水ゴムには依存せず、スライド部材のリブの内側に突設した第２の支柱が膨出部を乗り越える動作によるので、第２の支柱の高さ微調整、或いは先端部に弾性部材を取り付けることで力の調整も可能である。そして、第２の支柱の動作領域は防水領域であるため、開閉力プロファイルの変動要因となる塵埃や水の影響を第２の支柱は受けない。
【００２８】
以上、本出願を特にその好ましい実施の形態を参照して詳細に説明した。本出願の容易な理解のために、本出願の具体的な形態を以下に付記する。
【００２９】
（付記１）  電子機器の筐体に設けられた先細で先端部が湾曲形状の開口部と、
前記開口部の表側の筐体に設けられた第１の凹部と、
前記開口部の後端部に隣接する前記筐体の表側に設けられ、前記第１の凹部に連通すると共に、前記第１の凹部と同等の大きさを備える第２の凹部と、
前記第１の凹部と前記第２の凹部の間を往復動可能なスライド部材と、
前記スライド部材に突設され、前記スライド部材が前記第１の凹部に移動した時に、前記開口部の先細部分の内周面に対して、先端部が僅かな距離を隔てて対向するリブと、
前記リブの先端部に全周に渡って取り付けられ、前記スライド部材が前記第１の凹部に移動した時に、前記開口部の先細部分の内周面に嵌合する止水部材とを備える防水型電子機器。
（付記２）  前記筐体の前記第２の凹部の前記開口部に隣接する部位には、前記止水部材が取り付けられた前記リブを収容するリブ収容部が設けられていることを特徴とする付記１に記載の防水型電子機器。
（付記３）  前記リブ収容部の底面の、前記開口部の後端部に隣接する部位において、所定幅で且つ前記底面から所定高さを備えて膨出された膨出部が設けられ、
前記リブ収容部の両側面において、前記膨出部の両端部を斜面で前記側面に接続する斜面部が設けられ、
前記リブの先端部は、前記スライド部材が前記第１の凹部に移動した時に、前記膨出部及び前記斜面部に対して僅かな距離を隔てて対向し、
前記止水部材は、前記スライド部材が前記第１の凹部に移動した時に、前記膨出部及び前記斜面部に嵌合することを特徴とする付記２に記載の防水型電子機器。
（付記４）  前記リブの内側の前記スライド部材の表面には、前記スライド部材を前記第２の凹部側に移動させた時に、前記開口部の後端部に当接して前記スライド部材の移動を停止する第１の支柱が突設されていることを特徴とする付記１から３の何れかに記載の防水型電子機器。
（付記５）  前記リブの内側の前記スライド部材の表面には、前記スライド部材を前記第１の凹部側に移動させた時に、前記膨出部を乗り越えて前記開口部内に露出する第２の支柱が突設されていることを特徴とする付記３または４に記載の防水型電子機器。
【００３０】
（付記６）  前記第２の支柱の頂面には、弾性部材が設けられていることを特徴とする付記５に記載の防水型電子機器。
（付記７）  前記リブは、前記開口部側の前記スライド部材からの高さは一定であり、前記開口部の後端部側で前記膨出部に近接する高さを備え、前記斜面部に対向する部位の高さが次第に高くなるように形成されていることを特徴とする付記３から６の何れかに記載の防水型電子機器。
（付記８）  前記開口部が設けられた前記筐体の部位には、前記第１の凹部と前記第２の凹部に重なる大きさの開口を備える化粧板が前記筐体に重ね合わされており、
前記スライド部材のスライド方向の両側面にはスライドガイドが突設されており、
前記化粧板の前記スライド部材のスライド方向の内周面には、前記スライドガイドを摺動させるガイド溝が設けられていることを特徴とする付記１から７の何れかに記載の防水型電子機器。
（付記９）  前記開口部が設けられた前記筐体の部位は前記電子機器の側面であり、前記化粧板は前記側面に設けられていることを特徴とする付記８に記載の防水型電子機器。
【符号の説明】
【００３１】
１    電子機器
２    筐体
１０  開口部
１１  第１の凹部
１２  第２の凹部
１３  スライド部材
１４  リブ
１５  止水部材（止水ゴム）
１６  膨出部
１７  斜面部
１８  リブ収容部
２０  化粧板
２１  第１の支柱
２２  第２の支柱
【図１】
2018041556.tif 000003
【図２】
2018041556.tif 000004
【図３】
2018041556.tif 000005
【図４】
2018041556.tif 000006
【図５】
2018041556.tif 000007
【図６】
2018041556.tif 000008
【図７】
2018041556.tif 000009
【図８】
2018041556.tif 000010
【図９】
2018041556.tif 000011